(57)【要約】      （修正有）【課題】靴をスノーボードのビンディングに装着する際にスノーボードを滑り難くできて、靴をビンディングに装着し易くできるようにしたスノーボード用滑り止め具を提供する。【解決手段】スノーボード用滑り止め具１０は、引き出し可能なワイヤ１１を巻き取ることが可能な巻取り器１２と、ワイヤ１１の引出し側の先端部に取り付けられた滑り止め部材１３と、を備えている。靴４，５をビンディング２，３に装着する際に、滑り止め部材１３を引き出し、これの横片部１４をスノーボード１の裏面１ａと雪面２０との間に挿入することで、スノーボード１は滑り難くなる。【選択図】図１
0003181790.tif 000002
【実用新案登録請求の範囲】
【請求項１】
引き出し可能な紐状部材を巻き取ることが可能な巻取り器と、
前記紐状部材の引出し側の先端部に取り付けられ、スノーボードの滑走面となる裏面と雪面との間に挟み込まれることで前記スノーボードの滑り止めをする滑り止め部材と、を具備したことを特徴とするスノーボード用滑り止め具。
【請求項２】
前記滑り止め部材は、外面が弾性材によって形成されていることを特徴とする請求項１記載のスノーボード用滑り止め具。
【請求項３】
前記滑り止め部材にあって前記スノーボードの裏面と雪面との間に挟み込まれる部分の外面に溝が設けられていることを特徴とする請求項１または２記載のスノーボード用滑り止め具。
【請求項４】
前記滑り止め部材にあって前記スノーボードの裏面と雪面との間に挟み込まれる部分に穴が設けられていることを特徴とする請求項１から３のいずれか一項に記載のスノーボード用滑り止め具。
【請求項５】
前記滑り止め部材は、弾力性のあるクッション層と、このクッション層の表裏両面に設けられたゴム層の三層構造となっていることを特徴とする請求項１から４のいずれか一項に記載のスノーボード用滑り止め具。
【請求項６】
前記滑り止め部材はＬ字型をなしていることを特徴とする請求項１から５のいずれか一項に記載のスノーボード用滑り止め具。
【請求項７】
前記滑り止め部材はコ字型をなしていることを特徴とする請求項１から５のいずれか一項に記載のスノーボード用滑り止め具。
【請求項８】
前記滑り止め部材は板状をなしていることを特徴とする請求項１から５のいずれか一項に記載のスノーボード用滑り止め具。
【考案の詳細な説明】
【技術分野】
【０００１】
本考案は、スノーボードのビンディングに靴を装着する際に有効なスノーボード用滑り止め具に関する。
【背景技術】
【０００２】
スノーボードの上面には一対のビンディングが取り付けられていて、スノーボードの使用者は、左右の靴をそれら一対のビンディングにそれぞれ装着して滑走する。左右の靴をそれら一対のビンディングに装着する場合において、一方の靴を一方のビンディングに装着する際には他方の靴がスノーボード以外の雪面上などにあるため、スノーボードが雪面に対して滑り出すことは防止できる。しかしながら、一方の靴をビンディングに装着した状態で、他方の靴を他方のビンディングに装着しようとすると、左右両方の靴が雪面から離れ、使用者の体重が全てスノーボードにて受けられる状態となるため、スノーボードが雪面上を滑り出してしまうことがある。このようになると、他方の靴をビンディングに容易に装着できず、転んでしまうことがよくある。これを避けるために、例えば使用者は雪面上に腰を下ろした状態で、左右の靴をビンディングに装着するようにしている場合もあるが、立ち上がる際にスノーボードが滑り出し、転んでしまうことがある。
【先行技術文献】
【特許文献】
【０００３】
【特許文献１】特開平１０−２７２２１８号公報
【考案の概要】
【考案が解決しようとする課題】
【０００４】
本考案は上記事情に鑑みてなされたものであり、その目的は、靴をスノーボードのビンディングに装着する際にスノーボードを滑り難くできて、靴をビンディングに装着し易くできるスノーボード用滑り止め具を提供することにある。
【課題を解決するための手段】
【０００５】
上記の目的を達成するために、本考案のスノーボード用滑り止め具は、引き出し可能な紐状部材を巻き取ることが可能な巻取り器と、前記紐状部材の引出し側の先端部に取り付けられ、スノーボードの滑走面となる裏面と雪面との間に挟み込まれることで前記スノーボードの滑り止めをする滑り止め部材と、を具備したことを特徴としている。
【０００６】
上記構成のスノーボード用滑り止め具を使用する場合、巻取り器を、例えばスノーボード上のビンディング、スノーボードの上面、あるいは使用者の脚に取り付けられるレッグウォーマなどに予め取り付けておく。そして、左右の靴をスノーボード上の一対のビンディングに装着する場合において、一方の靴を一方のビンディングに装着した状態、あるいは左右両方の靴をビンディングに装着する前の状態で、使用者は滑り止め部材を持って巻取り器から引き出し、その滑り止め部材をスノーボードの裏面と雪面との間に挟み込む。これにより、雪面に対するスノーボードの滑りが防止された状態となるから、左右の両靴をスノーボード上に載せてもスノーボードが滑り出すことが防止され、左右の両靴を対応するビンディングに対して容易に、しかも安全に装着することが可能となる。そして、スノーボードで滑り出す際には、手で滑り止め部材を掴んでスノーボードの裏面と雪面との間から引き抜いた後、滑り止め部材から手を離すか、あるいは、滑り止め部材を押え込んでいたスノーボードを、当該滑り止め部材から浮かすと、滑り止め部材は巻取り器に自動的に巻き取られる。
【考案の効果】
【０００７】
上記構成のものによれば、滑り止め部材をスノーボードの裏面と雪面との間に挟み込むことにより、雪面に対するスノーボードの滑りが防止された状態となるから、左右の両靴をスノーボード上に載せてもスノーボードが滑り出すことが防止され、左右の両靴を対応するビンディングに対して容易に、しかも安全に装着することが可能となる。スノーボードで滑り出す際には、手で滑り止め部材をスノーボードの裏面と雪面との間から引き抜いた後、滑り止め部材から手を離すか、あるいは滑り止め部材を押え込んでいたスノーボードを、当該滑り止め部材から浮かすことで、滑り止め部材は巻取り器に巻き取られるから、滑り止め部材が邪魔になることはない。
【図面の簡単な説明】
【０００８】
【図１】本考案の第１実施形態を示すもので、スノーボード用滑り止め具の使用状態での外観斜視図
【図２】要部の縦断面図
【図３】滑り止め部材の斜視図
【図４】滑り止め部材を使用者の後ろ側で使用した例を示す外観斜視図
【図５】本考案の第２実施形態を示す図１相当図
【図６】図３相当図
【図７】本考案の第３実施形態を示すもので、スノーボード用滑り止め具の使用状態での外観斜視図
【図８】滑り止め部材の斜視図
【図９】図８中Ｘ９−Ｘ９線に沿う断面図
【図１０】本考案の第４実施形態を示すもので、（ａ）は図７相当図、（ｂ）は巻取り器の固定部分を示す縦断面図
【図１１】本考案の第５実施形態を示す図７相当図
【図１２】（ａ）〜（ｇ）は、滑り止め部材の変形例を示す平面図
【考案を実施するための形態】
【０００９】
以下、複数の実施形態について図面を参照して説明する。なお、各実施形態において実質的に同一の構成部位には同一の符号を付し、説明を省略する。
（第１実施形態）
第１実施形態について図１〜図４を参照して説明する。図１において、スノーボード１の上面には、一対のビンディング２，３が取り付けられている。これらビンディング２，３には、使用者の靴４，５が着脱可能に装着される。一方のビンディング２には、流れ止め具６の一端部６ａが連結されている。その流れ止め具６の他端部６ｂを、一方の靴４に連結しておくことで、スノーボード１と一方の靴４との間が流れ止め具６で繋がれた形態となるので、靴４がビンディング２から外れても、スノーボード１のみが流れていってしまうことを防止できるようになっている。
【００１０】
さて、一方のビンディング２には、本考案のスノーボード用滑り止め具（以下、滑り止め具と称する）１０が取り付けられている。この滑り止め具１０は、紐状部材、この場合ワイヤ１１を引き出し可能に巻き取ることが可能な巻取り器１２と、ワイヤ１１の引出し側の先端部に取り付けられた滑り止め部材１３とを備えている。紐状部材としては、ワイヤ１１に限られず、丈夫な材料であれば紐でもよい。巻取り器１２は、詳細には示されてはいないが、適宜の取付手段、例えばリング状の取付部材を介してビンディング２の適宜な箇所に着脱可能に取り付けられている。巻取り器１２は、内部に図示しないぜんまいばねが設けられていて、常にワイヤ１１を巻き取る方向の付勢力を有している。
【００１１】
滑り止め部材１３は、図２および図３に示すように、矩形板状をなす横片部１４と、この横片部１４の一端部に上方へ向けて突設された縦片部１５とを一体に有していて、横から見てＬ字型をなしている。横片部１４と縦片部１５とは、ほぼ９０度の角度をなしている。この滑り止め部材１３は、この場合、弾性材であるゴムにより一体に形成されている。横片部１４には、表裏両面に複数本の溝１６が形成されている。各溝１６は、縦片部１５と平行に等間隔で形成されている。横片部１４のほぼ中央部には、矩形状の穴１７が形成されている。穴１７は、横片部１４の厚さ方向（図２において上下方向）に貫通している。縦片部１５には、取付孔１８を有する円筒状の取付部材１８ａが設けられている。取付孔１８は、縦片部１５の厚さ方向（図２において左右方向）に開口している。なお、取付孔１８は、取付部材１８ａを使用せず、縦片部１５に形成した孔を利用することもできる。取付孔１８には前記ワイヤ１１の先端部が通されていて、そのワイヤ１１の先端部には、取付孔１８よりも大きな抜け止め用のリング１９が取り付けられている。したがって、滑り止め部材１３は、ワイヤ１１の先端部に抜け止め状態で取り付けられている。
【００１２】
次に、上記構成の滑り止め具１０の使用例について説明する。滑り止め具１０を使用していない状態では、ワイヤ１１が巻取り器１２に巻き取られていて、滑り止め部材１３は、巻取り器１２に引き寄せられた状態となっている。そして、使用者がスノーボード１のビンディング２，３に左右の靴４，５を装着するために、スノーボード１の滑りを止めたい場合には、滑り止め部材１３を手指で掴んで引き出す。そして、図１および図２に示すように、滑り止め部材１３の横片部１４を、スノーボード１の滑走面となる裏面１ａ（図２参照）と雪面２０との間に挟み込むように挿入する。この場合、図１に示すように、滑り止め部材１３の横片部１４は、使用者の正面側（前側）においてスノーボード１の裏面１ａと雪面２０との間に挿入されている。これにより、雪面２０に対するスノーボード１の滑りが防止されるようになるので、左右の両靴４，５をスノーボード１上に載せてもスノーボード１が滑り出すことが防止され、左右両方の靴４，５を対応するビンディング２，３に良好に装着することができるようになり、スノーボード１が滑り出して転倒することを防止できる。
【００１３】
この場合、滑り止め部材１３において、スノーボード１の裏面１ａと雪面２０との間に挟み込まれる横片部１４の外面はゴムで形成されているので、スノーボード１の裏面１ａと横片部１４の上面との間の摩擦力が大きくなり、いわゆるグリップ感が向上し、スノーボード１を一層滑り難くできる。しかも、その横片部１４の表裏両面には複数本の溝１６が形成されている。このため、横片部１４の上面側では、隣り合った溝１６間の部分が弾性変形し易くなり、グリップ感が一層向上し、スノーボード１を一層滑り難くできる。また、横片部１４の下面側では、各溝１６内に雪が入り込み、滑り止め部材１３が一層動き難くなるので、スノーボード１を一層滑り難くできる。さらには、横片部１４のほぼ中央部には厚さ方向に貫通した穴１７が形成されているので、その穴１７内に雪が入り込むことで滑り止め部材１３が一層動き難くなり、スノーボード１を一層滑り難くできる。また、その穴１７を設けたことで、滑り止め部材１３のデザイン性を向上できる利点もある。
【００１４】
左右両方の靴４，５を、対応するビンディング２，３に装着した後、スノーボード１で滑り出す場合には、使用者は滑り止め部材１３の縦片部１５部分を掴んで、横片部１４をスノーボード１と雪面２０との間から引き抜き、滑り止め部材１３から手を離すか、あるいは、横片部１４を押え込んでいたスノーボード１を、当該横片部１４から浮かす。すると、滑り止め部材１３に繋がれたワイヤ１１が巻取り器１２に自動的に巻き取られ、滑り止め部材１３は巻取り器１２に引き寄せられた状態となるから、滑る際に滑り止め部材１３が邪魔になることはない。この場合、滑り止め具１０は、ビンディング２に取り付けられているから、滑る際にその滑り止め具１０をウエアのポケットやリュックサックなどに仕舞いこむような面倒さがない利点もある。
【００１５】
図４は、滑り止め部材１３を使用者の後ろ側に引き出して使用した例が示されている。滑り止め部材１３の横片部１４は、使用者の後ろ側において、スノーボード１の裏面１ａと雪面２０との間に挿入されている。このように使用しても、上記した作用効果と同様な作用効果を得ることができる。
【００１６】
（第２実施形態）
次に本考案の第２実施形態について図５および図６を参照して説明する。この第２実施形態では、前記第１実施形態とは滑り止め部材の形状が異なっている。すなわち、滑り止め具２２において、滑り止め部材２３は、縦片部１５の上端部に庇状に突出する上横片部２４を一体に有していて、横から見てコ字型をなしている。上横片部２４は、横片部１４とほぼ平行状態となっている。上横片部２４に取付孔１８を有する取付部材１８ａが設けられていて、ワイヤ１１の先端部はその取付孔１８に挿入されて取り付けられている。
【００１７】
この実施形態においても、滑り止め具２２の使用時には、図５に示すように、滑り止め部材２３の横片部１４をスノーボード１の裏面１ａと雪面２０との間に挿入することで、スノーボード１の滑り止めをすることができる。図５では滑り止め部材２３を使用者の正面側に引き出して使用した例が示されているが、第１実施形態の図４と同様に、滑り止め部材２３を使用者の後ろ側に引き出して使用することもできる。この実施形態においても、第１実施形態と同様な作用効果を得ることができる。
【００１８】
（第３実施形態）
次に本考案の第３実施形態について図７〜図９を参照して説明する。この第３実施形態では、前記第１実施形態とは次の点が異なっている。すなわち、滑り止め具２６において、巻取り器１２は、スノーボード１の上面に貼り付けられるシール２７を介してスノーボード１に取り付けられている。詳細には示されてはいないが、巻取り器１２は、シール２７に適宜の取付部材を介して取り付けられている。また、ワイヤ１１の先端部に取り付けられた滑り止め部材２８は、図８に示すようにハート形の板状をなしている。
【００１９】
滑り止め部材２８には、表裏両面に複数本の溝２９が形成されているとともに、ほぼ中央部にハート形の穴３０が形成され、穴３０と外周部との間に取付孔３１を有する取付部材３１ａが設けられている。複数本の溝２９は、平行に等間隔で設けられている。取付孔３１には、ワイヤ１１の先端部が、第１実施形態と同様にして取り付けられている。滑り止め部材２８は、この場合図９に示すように、三層構造となっている。具体的には、弾力性のある例えばスポンジ状のクッション層３２と、このクッション層３２の表裏両面に設けられた弾性材としてのゴム層３３の三層構造となっている。
【００２０】
この実施形態においても、滑り止め具２６の使用時には、図７に示すように、滑り止め部材２８の先端部側をスノーボード１の裏面１ａと雪面２０との間に挿入することで、スノーボード１の滑り止めをすることができる。図７では滑り止め部材２８を使用者の正面側に引き出して使用した例が示されているが、第１実施形態の図４と同様に、滑り止め部材２８を使用者の後ろ側に引き出して使用することもできる。この実施形態においても、第１実施形態と同様な作用効果を得ることができる。
【００２１】
加えて、この実施形態においては、スノーボード１の裏面１ａと雪面２０との間に挿入される滑り止め部材２８を、弾力性のあるクッション層３２と、このクッション層３２の表裏両面に設けられたゴム層３３の三層構造としているので、使用時のグリップ感が一層向上し、スノーボード１を一層滑り難くすることが可能になる利点がある。なお、滑り止め部材２８としては、第１実施形態の滑り止め部材１３と同様に、ゴムの一層のみで形成してもよいことは勿論である。また、この実施形態の滑り止め部材２８は、見た目がかわいらしく、デザイン性を向上できる利点もある。
【００２２】
（第４実施形態）
次に本考案の第４実施形態について図１０を参照して説明する。この第４実施形態では、巻取り器１２のスノーボード１への取り付け方が第３実施形態とは異なっている。具体的には、巻取り器１２に取り付けられた環状の取付部３５（図１０（ｂ）参照）を、ねじ３６の頭部３６ａで押さえ付けるようにして、ねじ３６をスノーボード１に締め付けることにより、巻取り器１２をスノーボード１に取り付けている。この第４実施形態においても第３実施形態と同様な作用効果を得ることができる。
【００２３】
（第５実施形態）
次に本考案の第５実施形態について図１１を参照して説明する。この第５実施形態では、巻取り器１２の取り付け対象が第３および第４実施形態とは異なっている。具体的には、巻取り器１２を、使用者が脚に付けるレッグウォーマ３８に、適宜の手段により取り付けるようにしている。この第５実施形態においても第３および第４実施形態と同様な作用効果を得ることができる。
【００２４】
（その他の実施形態）
図１２の（ａ）〜（ｇ）は、第３〜第５実施形態における滑り止め部材の変形例を示している。（ａ）の滑り止め部材４０は、動物例えばクマの顔に似せた形状にしたもので、目の位置に円形の穴４１が２個形成され、口の位置に取付孔３１を有する取付部材３１ａが設けられている。滑り止め部材４０の表裏両面にも、前記滑り止め部材２８と同様に複数本の溝２９が平行に等間隔で設けられている。（ｂ）の滑り止め部材４２は、星形をなしていて、ほぼ中央部に星形の穴４３が形成され、その穴４３と当該滑り止め部材４２の外周部との間に取付孔３１を有する取付部材３１ａが設けられている。この滑り止め部材４０の表裏両面にも、複数本の溝２９が平行に等間隔で設けられている。（ｃ）の滑り止め部材４４は、矩形状をなしていて、ほぼ中央部にハート形の穴４５が形成され、その穴４５と当該滑り止め部材４４の外周部との間に取付孔３１を有する取付部材３１ａが設けられている。この滑り止め部材４４の表裏両面にも、複数本の溝２９が平行に等間隔で設けられている。
【００２５】
（ｄ）の滑り止め部材４６は、三角形をなしていて、ほぼ中央部に三角形の穴４７が形成され、その穴４７と当該滑り止め部材４６の外周部との間に取付孔３１を有する取付部材３１ａが設けられている。この滑り止め部材４６の表裏両面にも、複数本の溝２９が平行に等間隔で設けられている。（ｅ）の滑り止め部材４８は、図中左右方向に長い小判形をなしていて、ほぼ中央部に左右方向に長い小判形の穴４９が形成され、その穴４９と当該滑り止め部材４８の外周部との間に取付孔３１を有する取付部材３１ａが設けられている。この滑り止め部材４８の表裏両面にも、複数本の溝２９が平行に等間隔で設けられている。
【００２６】
（ｆ）の滑り止め部材５０は、円形をなしていて、ほぼ中央部に円形の穴５１が形成され、その穴５１と当該滑り止め部材５０の外周部との間に取付孔３１を有する取付部材３１ａが設けられている。この滑り止め部材５０の表裏両面にも、複数本の溝２９が平行に等間隔で設けられている。（ｇ）の滑り止め部材５２は、魚の姿に似せた形状にしたもので、目の位置に円形の穴５３が形成され、尾の位置に取付孔３１を有する取付部材３１ａが設けられている。この滑り止め部材５２の表裏両面にも、複数本の溝２９が平行に等間隔で設けられている。
【００２７】
これら各滑り止め部材４０，４２，４４，４６，４８，５０，５２は、第３実施形態の滑り止め部材２８と同様に三層構造としてもよいし、第１実施形態と同様にゴム層の一層のみで形成してもよい。これら滑り止め部材４０，４２，４４，４６，４８，５０，５２においても、見た目がかわいらしく、デザイン性を向上できる利点がある。
【符号の説明】
【００２８】
図面中、１はスノーボード、１ａは裏面、２，３はビンディング、４，５は靴、１０は滑り止め具（スノーボード用滑り止め具）、１１はワイヤ（紐状部材）、１２は巻取り器、１３は滑り止め部材、１４は横片部（スノーボードの裏面と雪面との間に挟み込まれる部分）、１５は縦片部、１６は溝、１７は穴、１８は取付孔、２０は雪面、２２は滑り止め具、２３は滑り止め部材、２６は滑り止め具、２７はシール、２８は滑り止め部材、２９は溝、３０は穴、３１は取付孔、３２はクッション層、３３はゴム層、３６はねじ、３８はレッグウォーマ、４０，４２，４４，４６，４８，５０，５２は滑り止め部材、４１，４３，４５，４７，４９，５１，５３は穴を示す。
【図１】
0003181790.tif 000003
【図２】
0003181790.tif 000004
【図３】
0003181790.tif 000005
【図４】
0003181790.tif 000006
【図５】
0003181790.tif 000007
【図６】
0003181790.tif 000008
【図７】
0003181790.tif 000009
【図８】
0003181790.tif 000010
【図９】
0003181790.tif 000011
【図１０】
0003181790.tif 000012
【図１１】
0003181790.tif 000013
【図１２】
0003181790.tif 000014